(57)【特許請求の範囲】
【請求項１】
作業者の背中に配置されるＤ環止め（６）から上方に二股に分かれて延びて作業者の両肩を通り、作業者の前面側を両肩から下方に延びる一対の肩ベルト（１）と、その各肩ベルト（１）の下端に連結された一対の腿ベルト（２）と、作業者の胴に巻き付けた胴ベルト（５）の両端を前記肩ベルト（１）に係脱自在に連結する胴ベルトバックル（１０）と、その胴ベルトバックル（１０）と同じ高さで前記一対の肩ベルト（１）同士を係脱自在に連結するセンターバックル（９）とを有し、
前記Ｄ環止め（６）から作業者の背面中央を下方に延びる背面中央ベルト（３）と、その背面中央ベルト（３）の下端から二股に分かれて延びて前記一対の腿ベルト（２）に連結された一対の尻ベルト（４）とを更に有し、前記背面中央ベルト（３）に、作業者の胴に巻き付けた状態の前記胴ベルト（５）を支持する支持具（１７）を設けたハーネス型安全帯。
【請求項２】
前記胴ベルト（５）に、前記背面中央ベルト（３）の支持具（１７）に係合する係合部材（１９）を設けた請求項１に記載のハーネス型安全帯。
【発明の詳細な説明】
【技術分野】
【０００１】
この発明は、高所作業時に墜落を防止するために着用するハーネス型安全帯に関する。
【背景技術】
【０００２】
建設現場等の高所において作業を行なう場合、作業者の墜落を防止して安全を確保するために安全帯が使用される。安全帯として、墜落阻止時の衝撃荷重を作業者の胴に装着した胴ベルトで支持する胴ベルト型安全帯のほか、墜落阻止時の衝撃荷重を作業者の身体の肩、腿などの複数部位に分散して支持するようにしたハーネス型安全帯が一般に使用されている。
【０００３】
ハーネス型安全帯として、例えば、特許文献１に記載のものが知られている。このハーネス型安全帯は、作業者の背中に配置されるＤ環止めで交差する一対の肩ベルトと、肩ベルトの下端に連結された一対の腿ベルトとを有する。そして、このハーネス型安全帯は、作業者の両肩に一対の肩ベルトを掛けるとともに、作業者の両足の大腿部に一対の腿ベルトを装着し、その状態でＤ環止めのＤ環にランヤードの一端を接続し、ランヤードの他端を作業現場の構造物に接続して使用される。
【０００４】
ところで、作業工具を収容した工具袋を携行しようとした場合、胴ベルト型安全帯においては、胴ベルトから工具袋を吊り下げることができるのに対し、上記特許文献１に記載のハーネス型安全帯は、作業者の胴に巻き付ける胴ベルトがないので工具袋を吊り下げることができない。
【０００５】
そこで、ハーネス型安全帯においても、工具袋の吊り下げを可能とするために胴ベルトを装備したいというユーザ側の要望があった。その要望に応えるため、例えば、特許文献２の図１０および図１１に記載のハーネス型安全帯においては、各肩ベルトの途中に胴ベルトホルダを取り付け、その胴ベルトホルダに形成されたベルト通し穴に胴ベルトを挿通するようにしている。
【０００６】
そして、胴ベルトホルダのベルト通し孔に胴ベルトを挿通するに際し、その胴ベルトを工具袋のベルト通し孔にも共通して挿通させることで、工具袋の吊り下げが可能となっている。
【先行技術文献】
【特許文献】
【０００７】
【特許文献１】特開２００９−１１２３６８号公報
【特許文献２】特開２００６−２２３６３９号公報
【発明の概要】
【発明が解決しようとする課題】
【０００８】
しかしながら、特許文献２のようにベルト通し穴に胴ベルトを挿通するようにしたハーネス型安全帯は、胴ベルトの着脱操作性に劣るという問題があった。
【０００９】
すなわち、作業の休憩時などに身軽になるため、工具袋を一時的に取り外すことがあるが、工具袋を取り外すためにはいったん胴ベルトを胴ベルトホルダのベルト通し孔から引き抜く必要があり、しかも胴ベルトを引き抜くと、工具袋のベルト通し孔からも胴ベルトが抜けて、工具袋と胴ベルトとが分離した状態となってしまう。そのため、作業を再開するときに、再び複数の胴ベルトホルダのベルト通し孔と、工具袋のベルト通し孔とに胴ベルトを挿通させる必要があり、その操作が極めて面倒であった。
【００１０】
この発明が解決しようとする課題は、胴ベルトの着脱操作性に優れたハーネス型安全帯を提供することである。
【課題を解決するための手段】
【００１１】
上記の課題を解決するため、作業者の背中に配置されるＤ環止めから上方に二股に分かれて延びて作業者の両肩を通り、作業者の前面側を両肩から下方に延びる一対の肩ベルトと、その各肩ベルトの下端に連結された一対の腿ベルトと、作業者の胴に巻き付けた胴ベルトの両端を前記肩ベルトに係脱自在に連結する胴ベルトバックルと、その胴ベルトバックルと同じ高さで前記一対の肩ベルト同士を係脱自在に連結するセンターバックルとを有する構成をハーネス型安全帯に採用した。
【００１２】
このようにすると、胴ベルトを装着するときは、胴ベルトを装着する前にあらかじめ胴ベルトに工具袋を取り付け、その胴ベルトを胴に巻き付けた後、胴ベルトの両端を胴ベルトバックルで肩ベルトに連結することで、胴ベルトを装着することができる。このとき、センターバックルにより胴ベルトバックルと同じ高さで一対の肩ベルト同士が連結されるので、肩ベルトの開きと胴ベルトの緩みを同時に防止することができる。胴ベルトを取り外すときは、胴ベルトバックルを分離することで、胴ベルトの両端を肩ベルトから切り離し、工具袋を取り付けたまま胴ベルトを取り外すことが可能である。また、ハーネス型安全帯を身体に装着するときおよび身体から取り外すときは、センターバックルを分離することで一対の肩ベルトを左右に開くことが可能となり、肩ベルトを肩に掛ける操作および肩ベルトを肩から外す操作が容易である。
【００１３】
このハーネス型安全帯は、前記Ｄ環止めから作業者の背面中央を下方に延びる背面中央ベルトと、その背面中央ベルトの下端から二股に分かれて延びて前記一対の腿ベルトに連結された一対の尻ベルトとを更に設け、前記背面中央ベルトに、作業者の胴に巻き付けた状態の前記胴ベルトを支持する支持具を設けると好ましい。
【００１４】
このようにすると、胴ベルトに工具袋を吊り下げたときに胴ベルトにかかる重みが、肩ベルトの胴ベルトバックルと、背面中央ベルトの支持具とに分散して支持されるので、工具袋の重量による作業者の負荷を効果的に軽減することが可能となる。また、支持具による胴ベルトの支持位置が背面の中央なので、胴ベルトに工具袋を取り付けるときに、工具袋が支持具に干渉しにくく、工具袋の取り付け位置の自由度が高い。
【００１５】
さらに、前記胴ベルトに、前記背面中央ベルトの支持具に係合する係合部材を設けると、高所作業中に胴ベルトが支持具から外れるのを防止して、胴ベルトの背面側の支持を安定させることができる。
【発明の効果】
【００１６】
この発明のハーネス型安全帯は、胴ベルトの両端を肩ベルトに連結することで胴ベルトの装着を行なうので、あらかじめ胴ベルトに工具袋を取り付けた状態のまま、胴ベルトを装着することが可能である。また、胴ベルトの両端を肩ベルトから切り離すことで、胴ベルトに工具袋を取り付けたまま胴ベルトを取り外すことが可能である。このように、このハーネス型安全帯は、胴ベルトに工具袋を取り付けたまま胴ベルトの着脱が可能であり、胴ベルトの着脱操作性に優れる。
【図面の簡単な説明】
【００１７】
【図１】この発明の実施形態のハーネス型安全帯を示す全体図
【図２】図１のハーネス型安全帯を作業者が着用した状態で作業者の前面側から見た図
【図３】図１のハーネス型安全帯を作業者が着用した状態で作業者の背面側から見た図
【図４】図３に示すハーネス型安全帯の係合部材の近傍の拡大図
【図５】図４のV−V線に沿った断面図
【図６】図２に示す胴ベルトを取り外した状態を示す図
【図７】図３に示す胴ベルトを取り外した状態を示す図
【図８】図４に示す係合部材の他の例を示す分解斜視図
【図９】図８に示す係合部材が支持具に係合した状態を示す断面図
【発明を実施するための形態】
【００１８】
図１に、この発明の実施形態のハーネス型安全帯を示す。このハーネス型安全帯は、作業者の両肩に掛けられる一対の肩ベルト１，１と、作業者の両足の大腿部に装着する一対の腿ベルト２，２と、背面中央ベルト３と、一対の尻ベルト４，４と、作業者の胴に巻き付ける胴ベルト５とを有する。これらのベルトはポリエステルやナイロン等の合成繊維の織物で形成されている。
【００１９】
図２、図３に示すように、一対の肩ベルト１，１は、作業者の背中に配置されるＤ環止め６から上方に二股に分かれて延びて作業者の両肩を通り、作業者の前面側を両肩から下方に延びている。各肩ベルト１は、作業者の体格に応じて肩ベルト１の長さを調節する長さ調整具７と、長さ調整具７で生じるベルトの余剰長さ部分を保持するベルト止め８と、センターバックル９と、胴ベルトバックル１０とを作業者の前面側に有する。
【００２０】
図１に示すように、センターバックル９は、一対の肩ベルト１，１のうちの一方の肩ベルト１に取り付けられたタングプレート９Ａと、他方の肩ベルト１に取り付けられたバックル本体９Ｂとからなる。そして、バックル本体９Ｂにタングプレート９Ａを差し込むことにより、一対の肩ベルト１，１同士を互いに係脱自在に連結するようになっている。このセンターバックル９は、タングプレート９Ａをバックル本体９Ｂに差し込むと、タングプレート９Ａがバックル本体９Ｂに保持されたロック状態となり、バックル本体９Ｂに設けられた操作片１１を操作することでロック状態を解除するワンタッチ式のバックルである。
【００２１】
胴ベルトバックル１０は、胴ベルト５の両端に取り付けられたタングプレート１０Ａと、各肩ベルト１に取り付けられたバックル本体１０Ｂとからなる。そして、胴ベルト５を作業者の胴に巻き付けた状態で、胴ベルト５の両端の各タングプレート１０Ａを各肩ベルト１のバックル本体１０Ｂに差し込むことにより、胴ベルト５の両端を肩ベルト１に係脱自在に連結するようになっている。この胴ベルトバックル１０も、センターバックル９と同様、タングプレート１０Ａをバックル本体１０Ｂに差し込むと、タングプレート１０Ａがバックル本体１０Ｂに保持されたロック状態となり、バックル本体１０Ｂに設けられた操作片１２を操作することでロック状態を解除するワンタッチ式のバックルである。
【００２２】
図２に示すように、胴ベルトバックル１０は、ハーネス型安全帯を作業者が着用した状態で腰の高さとなる位置に配置され、この胴ベルトバックル１０と同じ高さ位置にセンターバックル９が配置されている。具体的には、作業者の前面側の肩ベルト１を腰の高さで水平に横切るように各肩ベルト１に短ベルト１３が固定され、その短ベルト１３の一端に胴ベルトバックル１０が取り付けられ、短ベルト１３の他端にセンターバックル９が取り付けられている。肩ベルト１に対する短ベルト１３の固定はベルト同士の縫着により行なわれている。
【００２３】
作業者の前面側の一対の肩ベルト１，１は、センターバックル９を連結した状態でＸ形を呈するように延びている。すなわち、作業者の前面側の一対の肩ベルト１，１の間隔は、センターバックル９の位置で最も狭幅となるように肩から下方に向かって次第に狭くなり、センターバックル９から下方に向かって次第に広くなっている。ここで、各肩ベルト１は、胴ベルトバックル１０の高さ位置でくの字形に屈曲しているが、この肩ベルト１の屈曲部分の形成は、例えば、作業者の前面側の肩ベルト１を腰の高さ位置で半回転ねじって屈曲させ、その屈曲部分に短ベルト１３を重ね合わせて縫着することにより形成することができる。
【００２４】
腿ベルト２は、作業者の前面側の肩ベルト１の下端に連結されている。腿ベルト２と肩ベルト１の連結は縫着により行なわれている。腿ベルト２は、大腿部を巻回する環状に形成され、その腿ベルト２の一部が腿ベルトバックル１４で係脱自在に連結されている。
【００２５】
図３に示すように、作業者の背面側の肩ベルト１，１は、Ｄ環止め６から上方に二股に分かれて作業者の両肩に至るように延び、背面中央ベルト３は、Ｄ環止め６から作業者の背面中央を下方に延びている。尻ベルト４は、背面中央ベルト３の下端から二股に分かれて延びて各腿ベルト２に連結されている。腿ベルト２と尻ベルト４の連結は、尻ベルト４の下端に形成したループに腿ベルト２を通すことで行なわれ、作業者の体格に応じて腿ベルト２に対する尻ベルト４の相対位置を調節できるようになっている。
【００２６】
Ｄ環止め６には、ベルト通し用の長穴１５が上下に間隔をおいて複数形成され、隣り合う長穴１５の間でベルトをＤ環１６に通すことでランヤード接続用のＤ環１６がＤ環止め６に取り付けられている。Ｄ環１６は、ショックアブソーバまたはストラップを介してＤ環止め６に取り付けるようにしてもよい。
【００２７】
背面中央ベルト３の下端には、作業者の胴に巻き付けた状態の胴ベルト５を支持する支持具１７が取り付けられている。図４、図５に示すように、支持具１７は方形の金属板からなり、上下に間隔をおいて複数の長穴１８，１８が形成され、その長穴１８に順にベルトを通すことで支持具１７が背面中央ベルト３に固定されている。
【００２８】
作業者の背面側の胴ベルト５には、背面中央ベルト３の支持具１７に係合する係合部材１９が取り付けられている。係合部材１９には、上下方向に延びる複数の長穴２０が左右方向に間隔をおいて形成され、その各長穴２０に胴ベルト５を順に通すことで胴ベルト５に固定されている。また、係合部材１９の下縁には、背面中央ベルト３よりも広幅でかつ支持具１７よりも狭幅の嵌合凹部２１が形成されており、支持具１７と背面中央ベルト３の間に係合部材１９を差し込んだ状態で、嵌合凹部２１の縁が支持具１７に係合して背面中央ベルト３に対する胴ベルト５の相対移動を阻止するようになっている。
【００２９】
肩ベルト１と背面中央ベルト３と尻ベルト４は、その各境界位置において接続された別個のベルト部材とすることも可能であるが、図３に示すように、一連に形成された２本のベルトを、Ｄ環止め６の長穴１５と、Ｄ環止め６の下方に間隔をおいて配置された支持具１７の長穴１８とに重ね合わせた状態で挿通させ、その２本のベルトがＤ環止め６よりも上側の部分と支持具１７よりも下側の部分で二股に分かれるようにし、この２本のベルトのＤ環止め６よりも上側の部分を肩ベルト１とし、Ｄ環止め６と支持具１７の間の部分を背面中央ベルト３とし、支持具１７よりも下側の部分を尻ベルト４とすると好ましい。このようにすると、肩ベルト１と背面中央ベルト３と尻ベルト４の各境界位置にベルトを接続するための縫製部が存在しないので、縫い糸の摩耗等による強度低下を防止して、安全性を高めることができる。
【００３０】
次に、上述したハーネス型安全帯の使用例を説明する。
【００３１】
ハーネス型安全帯を装着するときは、まず、センターバックル９、胴ベルトバックル１０、腿ベルトバックル１４がいずれも分離した状態で、一対の肩ベルト１，１を両肩に掛ける。次に、図６に示すように、センターバックル９を連結状態とすることにより、一対の肩ベルト１，１同士を作業者の前面側で連結する。続いて、各腿ベルト２を足の大腿部に巻回し、腿ベルトバックル１４を連結する。その後、図２に示すように、胴ベルト５を胴に巻き付け、その胴ベルト５の両端を胴ベルトバックル１０で肩ベルト１に連結する。このとき、センターバックル９により、胴ベルトバックル１０と同じ高さで肩ベルト１，１が連結されているので、肩ベルト１，１の開きと胴ベルト５の緩みが同時に防止される。最後に、作業者の背面側の胴ベルト５を背面中央ベルト３の支持具１７に上から引っ掛け、胴ベルト５の係合部材１９を支持具１７に係合させる。
【００３２】
工具袋２２（図３参照）を使用するときは、胴ベルト５を装着する前にあらかじめ胴ベルト５に工具袋２２を取り付け、工具袋２２を取り付けた状態のまま、胴ベルト５の両端を胴ベルトバックル１０で肩ベルト１に連結する。
【００３３】
そして、Ｄ環止め６のＤ環１６にランヤード（図示せず）の一端を接続し、ランヤードの他端を作業現場の構造物に接続した状態で、建設現場等の高所作業を行なう。
【００３４】
作業の休憩時などに身軽になるため、工具袋２２を一時的に取り外すことがある。このときは、図６、図７に示すように、胴ベルトバックル１０を操作して胴ベルト５の両端を肩ベルト１から切り離し、工具袋２２を取り付けたまま胴ベルト５を取り外す。そして、休憩時間が終了して作業を再開するときは、図２、図３に示すように、再び工具袋２２を取り付けたままの胴ベルト５を胴に巻き付け、胴ベルト５の両端を胴ベルトバックル１０で肩ベルト１に連結することで、工具袋２２ごと胴ベルト５を装着する。
【００３５】
このとき、工具袋２２を取り付けた状態の胴ベルト５を作業内容に応じて予め複数本準備しておけば、工具袋２２つきの胴ベルト５をまるごと交換することにより、作業中に携行する工具袋２２を迅速に取り替えることが可能となる。
【００３６】
作業が終了して、ハーネス型安全帯を身体から取り外すときは、腿ベルトバックル１４を切り離すとともに、センターバックル９を分離して作業者の前面側の肩ベルト１，１を左右に開き、両肩から肩ベルト１，１を外して、ハーネス型安全帯を身体から取り外す。このとき、胴ベルトバックル１０を切り離さずに、胴ベルト５の両端を肩ベルト１に連結したまま、肩ベルト１，１を肩から外す操作を行なうことができる。その後、再びハーネス型安全帯を装着するときも、胴ベルト５の両端を肩ベルト１に連結した状態のまま、肩ベルト１，１を肩に掛ける操作を行なうことができる。
【００３７】
このハーネス型安全帯は、胴ベルト５の両端を肩ベルト１に連結することで胴ベルト５の装着を行なうので、あらかじめ胴ベルト５に工具袋２２を取り付けた状態のまま、胴ベルト５を装着することが可能である。また、胴ベルト５の両端を肩ベルト１から切り離すことで、胴ベルト５に工具袋２２を取り付けたまま胴ベルト５を取り外すことが可能である。このように、このハーネス型安全帯は、胴ベルト５に工具袋２２を取り付けたまま胴ベルト５の着脱が可能であり、胴ベルト５の着脱操作性に優れる。
【００３８】
また、このハーネス型安全帯は、胴ベルト５に吊り下げた工具袋２２の重量を、腰ではなく肩で支持することができるので、作業者の負荷が小さい。そして、胴ベルト５に工具袋２２を吊り下げたときに胴ベルト５にかかる重みを、肩ベルト１の胴ベルトバックル１０と、背面中央ベルト３の支持具１７とに分散して支持するので、工具袋２２の重量による作業者の負荷を効果的に軽減することが可能である。
【００３９】
また、このハーネス型安全帯は、支持具１７による胴ベルト５の支持位置が背面の中央一箇所（左右方向の中央）なので、胴ベルト５に工具袋２２を取り付けるときに、工具袋２２が支持具１７に干渉しにくく、工具袋２２の取り付け位置の自由度が高い。
【００４０】
また、このハーネス型安全帯は、胴ベルト５に、背面中央ベルト３の支持具１７に係合する係合部材１９を設けているので、高所作業中に胴ベルト５が支持具１７から外れるのを防止することができ、胴ベルト５の背面側の支持を安定させることができる。
【００４１】
また、このハーネス型安全帯は、背中のＤ環１６に接続したランヤードで作業者の墜落を引き止める墜落阻止時の衝撃荷重を肩ベルト１と腿ベルト２に分散して支持する。このとき、作業者の前面側の肩ベルト１，１がＸ形を呈するように延びているので肩ベルト１が肩から外れにくく、肩ベルト１，１の間から身体が抜ける事態を防止することができる。
【００４２】
図８、図９に、係合部材１９の他の例を示す。この係合部材１９は、上下方向に延びる複数の長穴３０が左右方向に間隔をおいて形成された方形の鉛直板部３１と、鉛直板部３１の長穴３０よりも上側部分から前方に延びるように設けられた水平板部３２と、水平板部３２を上下方向に貫通して形成された嵌合穴３３と、背面中央ベルト３の表面に沿って接触するように水平板部３２の前端に設けられた添え板部３４とからなる。
【００４３】
この係合部材１９は、各長穴３０に胴ベルト５を順に通すことで胴ベルト５に固定されている。そして、水平板部３２の嵌合穴３３を支持具１７の上部外周に嵌合させたときに、嵌合穴３３の縁が支持具１７に係合して背面中央ベルト３に対する胴ベルト５の相対移動を阻止するようになっている。
【００４４】
この係合部材１９を用いると、係合部材１９を支持具１７に係合させたときに、係合部材１９と支持具１７の係合部分よりも下側に胴ベルト５がくる。そのため、係合部材１９が支持具１７から吊り下げられた状態となって、係合部材１９の姿勢が安定し、係合部材１９が支持具１７から外れるのを効果的に防止することが可能となる。
【符号の説明】
【００４５】
１      肩ベルト
２      腿ベルト
３      背面中央ベルト
４      尻ベルト
５      胴ベルト
６      Ｄ環止め
９      センターバックル
１０    胴ベルトバックル
１７    支持具
１９    係合部材
【図１】
0005792579.tif 000002
【図２】
0005792579.tif 000003
【図３】
0005792579.tif 000004
【図４】
0005792579.tif 000005
【図５】
0005792579.tif 000006
【図６】
0005792579.tif 000007
【図７】
0005792579.tif 000008
【図８】
0005792579.tif 000009
【図９】
0005792579.tif 000010